(57)【特許請求の範囲】
【請求項１】
分散アンテナシステムのダウンリンク送信電力を最適化する方法において、
複数のキャリアにおいて動作するマルチキャリアベースステーションから個々のキャリア負荷情報を収集することと、
収集された前記キャリア負荷情報に基づいて、前記複数のキャリアのうち少なくとも１つのキャリアのダウンリンク送信電力を、少なくとも１つの他のキャリアとは異なる値に変化させることと、
を含む、方法。
【請求項２】
請求項１に記載の分散アンテナシステムのダウンリンク送信電力を最適化する方法において、
前記ダウンリンク送信電力を変化させることは、
前記複数のキャリアのうちの１つのキャリアが、予め規定された閾値より大きいキャリア負荷を有するかどうかを判断することと、
前記予め規定された閾値より大きい前記キャリア負荷を有する前記キャリアのダウンリンク送信電力を増大させることと、
をさらに含む、方法。
【請求項３】
請求項２に記載の分散アンテナシステムのダウンリンク送信電力を最適化する方法において、
前記複数のキャリアのダウンリンク送信電力動作パラメータを決定することと、
前記予め規定された閾値より大きい前記キャリア負荷を有する前記キャリアのダウンリンク送信電力の利用可能な余剰増大を決定することと、
をさらに含み、
前記予め規定された閾値より大きい前記キャリア負荷を有する前記キャリアのダウンリンク送信電力を増大させることは、ダウンリンク送信電力の決定された前記利用可能な増大以下の量だけ、前記ダウンリンク送信電力を増大させることをさらに含む、方法。
【請求項４】
請求項３に記載の分散アンテナシステムのダウンリンク送信電力を最適化する方法において、
前記ダウンリンク送信電力を増大させることは、
前記複数のキャリアの利用可能な電力レベルの合計を決定することと、
前記ダウンリンク送信電力動作パラメータおよび収集された前記キャリア負荷情報に基づいて比例因子を決定することと、
前記利用可能な電力レベルの合計と前記比例因子との積を決定することと、
をさらに含む、方法。
【請求項５】
請求項４に記載の分散アンテナシステムのダウンリンク送信電力を最適化する方法において、
前記利用可能な電力レベルの合計を決定することは、前記ダウンリンク送信電力動作パラメータおよび収集された前記キャリア負荷情報に基づく、方法。
【請求項６】
請求項１に記載の分散アンテナシステムのダウンリンク送信電力を最適化する方法において、
収集された前記キャリア負荷がキャリア負荷閾値未満である場合に、前記ダウンリンク送信電力をベースライン値にリセットすることをさらに含む、方法。
【請求項７】
請求項１に記載の分散アンテナシステムのダウンリンク送信電力を最適化する方法において、
キャリア負荷を有するキャリアが予め規定された第２の負荷閾値を超える時期を決定することと、
キャリア負荷を有する前記キャリアが予め規定された第２の負荷閾値を超える前記時期を、一時的なヒステリシス閾値と比較することと、
をさらに含む、方法。
【請求項８】
請求項１に記載の分散アンテナシステムのダウンリンク送信電力を最適化する方法において、
複数のキャリアからの、収集された前記キャリア負荷情報に基づいてキャリアのランク付けリストを生成することをさらに含む、方法。
【請求項９】
請求項８に記載の分散アンテナシステムのダウンリンク送信電力を最適化する方法において、
ダウンリンク送信電力を変化させることは、前記キャリアのランク付けリストのうち最も高くランク付けされたキャリアのダウンリンク送信電力を変化させることをさらに含む、方法。
【請求項１０】
無線分散アンテナシステムにおいて、
複数のキャリアを有するマルチキャリア通信信号を受信するマルチキャリアベースステーションであって、前記マルチキャリア通信信号を増幅する１つまたは複数のマルチキャリア増幅器システムを含む、マルチキャリアベースステーションと、
複数の別々のアンテナシステムを有する分散アンテナシステムであって、前記マルチキャリアベースステーションに連結され、ダウンリンク信号を提供する、分散アンテナシステムと、
前記マルチキャリアベースステーションに連結され、前記複数のキャリアの負荷情報を収集し、ダウンリンク送信電力のさまざまな値を前記マルチキャリア増幅器システムに提供する、制御ユニットと、
を含む、無線分散アンテナシステム。
【請求項１１】
請求項１０に記載の無線システムにおいて、
前記制御ユニットは、前記マルチキャリアベースステーションから前記負荷情報を収集するようにさらに構成される、無線システム。
【請求項１２】
請求項１０に記載の無線システムにおいて、
前記制御ユニットは、ネットワークから前記負荷情報を収集するようにさらに構成される、無線システム。
【請求項１３】
請求項１０に記載の無線システムにおいて、
前記制御ユニットは、
前記複数のキャリアから負荷情報を収集する分散アンテナシステム管理サーバーと、
前記キャリアに対して電力レベル制御信号を生成する電力管理決定エンジンと、
をさらに含む、無線システム。
【請求項１４】
請求項１３に記載の無線システムにおいて、
前記電力管理決定エンジンは、収集された前記負荷情報、およびダウンリンク電力動作パラメータに基づいて、前記電力レベル制御信号を決定するように構成される、無線システム。
【請求項１５】
請求項１０に記載の無線システムにおいて、
複数の第２のキャリアを有する第２のマルチキャリア通信信号を受信する第２のマルチキャリアベースステーションであって、前記第２のマルチキャリア通信信号を増幅する１つまたは複数の第２の増幅器を含む、第２のマルチキャリアベースステーションと、
複数の第２の別々のアンテナシステムを有する第２の分散アンテナシステムであって、前記第２のマルチキャリアベースステーションに連結され、第２のダウンリンク信号を提供する、第２の分散アンテナシステムと、
をさらに含み、
前記制御ユニットは、前記第２のマルチキャリアベースステーションに連結され、前記複数の第２のキャリアから負荷情報を収集し、前記複数の第２のキャリアにダウンリンク送信電力の値を提供する、無線システム。
【発明の詳細な説明】
【開示の内容】
【０００１】
〔発明の背景〕
１．発明の分野
本発明は、概して、無線テレフォニーに関連した方法およびシステムに関する。より具体的には、本発明は、分散アンテナシステムを用いた無線システム、および関連する方法に関する。
【０００２】
２．先行技術および関連する背景情報の説明
現代の無線電話システムは、セル領域（cell region）内でユーザーと通信するためにしばしば分散アンテナシステム（「ＤＡＳ」）を用いる。ＤＡＳの送信電力は、ネットワーク容量を高めるために最適化されなければならない。しかしながら、従来の無線システムは、セル領域内においてユーザーのリアルタイム要求に基づいてセル容量を最適化しない。
【０００３】
したがって、分散アンテナシステムを利用した無線電話システムの性能を最適化する必要性がある。
【０００４】
〔発明の概要〕
第１の態様では、本発明は、分散アンテナシステムのダウンリンク送信電力を最適化する方法を提供し、この方法は、分散アンテナシステムの複数の別々のアンテナユニットに、共通のダウンリンク信号を提供することと、収集されたユーザー情報に基づいてシステム性能を高めるためにアンテナユニットの利得を変化させることと、を含む。
【０００５】
好適な実施形態では、分散アンテナシステムのダウンリンク送信電力を最適化する方法は、ユーザー装置（ＵＥ）からダウンリンク信号を記述する情報を収集することをさらに含み、この情報は、ＵＥにより報告されたダウンリンク信号のピークデータレート（peak data rates）を含む。情報を収集することは、ＵＥにより報告されるダウンリンク信号の最大持続可能データレートを収集することと、ＱＯＳ（サービス品質）閾値を超えるＱＯＳを有するＵＥの数を収集することと、をさらに含み得る。アンテナユニットの利得を変化させることは、マルチパス干渉を低減するため１つまたは複数のアンテナユニットの利得を低減することを含み得る。アンテナユニットの利得を変化させることは、分散アンテナシステムの総利得を変化させることを含み得る。アンテナユニットの利得を変化させることは、個々のアンテナユニットのリンク利得を変化させることも含み得る。アンテナユニットは、内壁により隔てられる屋内空間にグループ化され得、アンテナユニットの利得を変化させることは、アンテナユニットのグループの利得を独立して変化させることを含み得る。
【０００６】
別の態様では、本発明は、分散アンテナシステムのダウンリンク送信電力を最適化する方法を提供し、この方法は、第１の電力レベルを有する共通のダウンリンク信号を、第１のアンテナユニットおよび第２のアンテナユニットからユーザー装置（ＵＥ）へ伝送することであって、第１のアンテナユニットおよび第２のアンテナユニットは物理的に分離されている、ことと、ＵＥにより報告されるダウンリンク信号を記述する情報を収集することと、収集された情報に基づいて、第１のアンテナユニットおよび第２のアンテナユニットのダウンリンク送信電力がいつ更新されるべきかを決定することと、第２の電力レベルを有するダウンリンク信号を、第１のアンテナユニットおよび第２のアンテナユニットから伝送することと、を含む。
【０００７】
分散アンテナシステムのダウンリンク送信電力を最適化する方法の好適な実施形態では、ダウンリンク信号を記述する情報を収集することは、ＵＥにより報告されるダウンリンク信号のダウンリンクデータレートを収集することと、ＵＥにより報告されるダウンリンク信号の信号品質情報を収集することと、ＵＥにより報告される場所情報を収集することと、を含むことが好ましい。第１のアンテナユニットおよび第２のアンテナユニットのダウンリンク送信電力がいつ更新されるべきかを決定することは、収集された情報に基づいて現在の平均容量を推定することと、現在の平均容量を、先の平均容量と比較することと、をさらに含み得る。現在の平均容量が先の平均容量未満である場合、第２の電力レベルは、第１の電力レベル未満であってよい。現在の平均容量が先の平均容量より大きい場合、第２の電力レベルは、第１の電力レベルより大きくてよい。この方法は、第２の電力レベルを最大電力閾値と比較することと、第２の電力レベルがこの最大電力レベルを超えた場合に、第２の電力レベルを第１の電力レベルまで下げることと、をさらに含み得る。ダウンリンク信号を記述する情報を収集することは、ＵＥにより報告されるダウンリンク信号のピークデータレートを収集することと、ＵＥにより報告されるダウンリンク信号の最大持続可能データレートを収集することと、ＱＯＳ（サービス品質）閾値を超えるＱＯＳを有するＵＥの数を収集することと、をさらに含み得る。第１のアンテナユニットおよび第２のアンテナユニットのダウンリンク送信電力がいつ更新されるべきかを決定することは、収集された情報に基づいて現在の平均容量を推定することと、現在の平均容量を先の平均容量と比較することと、をさらに含み得る。第１のアンテナユニットおよび第２のアンテナユニットは、屋内に位置してよい。ダウンリンク信号は、単一セクターキャリア信号（single sector carrier signal）を含み得る。
【０００８】
別の態様では、本発明は、分散アンテナシステムを提供し、この分散アンテナシステムは、ダウンリンク信号を提供する分散アンテナシステムサービスモジュールと、ダウンリンク信号を受信するために伝送ケーブルにより分散アンテナシステムサービスモジュールに連結され、ダウンリンク信号を無線伝送するように構成された、第１のアンテナユニットおよび第２のアンテナユニットと、を含み、第１のアンテナユニットおよび第２のアンテナユニットは、物理的に分離されている。分散アンテナシステムサービスモジュールは、アンテナユニットからダウンリンク信号を受信し、アンテナユニットにアップリンク情報を伝送する複数のユーザー装置（ＵＥ）からの収集された情報に基づいて、第１および第２のアンテナユニットの送信電力レベルを制御するように構成される。
【０００９】
分散アンテナシステムの好適な一実施形態では、第１および第２のアンテナユニットは、屋内に位置しており、単一空間の別々のサービスエリアをカバーしている。分散アンテナシステムは、伝送ケーブルにより分散アンテナシステムサービスモジュールに連結され、ダウンリンク信号を無線伝送するように構成された、第３のアンテナユニットおよび第４のアンテナユニットをさらに含んでよく、第３のアンテナユニットおよび第４のアンテナユニットは、第１および第２のアンテナユニットから壁で隔てられた第２の空間において物理的に分離されている。分散アンテナシステムサービスモジュールは、第３および第４のアンテナユニットからダウンリンク信号を受信し、アップリンク情報を第２の空間のアンテナユニットに伝送する複数のユーザー装置（ＵＥ）からの、収集された情報に基づいて、第３および第４のアンテナユニットの送信電力レベルを制御するように構成され得る。
【００１０】
別の態様では、本発明は、分散アンテナシステムのダウンリンク送信電力を最適化する方法を提供する。この方法は、複数のキャリアにおいて動作するマルチキャリアベースステーションから個々のキャリア負荷情報（individual carrier load information）を収集することと、収集されたキャリア負荷情報に基づいて、複数のキャリアのうち少なくとも１つのキャリアのダウンリンク送信電力を、少なくとも１つの他のキャリアとは異なる値へと変化させることと、を含む。
【００１１】
好適な実施形態では、ダウンリンク送信電力を変化させることは、複数のキャリアのうち１つのキャリアが、予め規定された閾値より大きいキャリア負荷を有するかどうかを判断することと、予め規定された閾値より大きいキャリア負荷を有するキャリアのダウンリンク送信電力を増大させることと、をさらに含む。この方法は、複数のキャリアのダウンリンク送信電力動作パラメータを決定することと、予め規定された閾値より大きいキャリア負荷を有するキャリアのダウンリンク送信電力の利用可能な余剰増大（available surplus increase）を決定することと、をさらに含むのが好ましい。予め規定された閾値より大きいキャリア負荷を有するキャリアのダウンリンク送信電力を増大させることは、ダウンリンク送信電力の決定された利用可能な増大以下の量だけ、ダウンリンク送信電力を増大させることをさらに含むのが好ましい。ダウンリンク送信電力を増大させることは、複数のキャリアの利用可能な電力レベルの合計を決定することと、ダウンリンク送信電力動作パラメータ、および収集されたキャリア負荷情報に基づいて比例因子を決定することと、利用可能な電力レベルの合計と比例因子との積を決定することと、をさらに含み得る。利用可能な電力レベルの合計を決定することは、ダウンリンク送信電力動作パラメータおよび収集されたキャリア負荷情報に基づいていることが好ましい。この方法は、収集されたキャリア負荷がキャリア負荷閾値未満である場合に、ダウンリンク送信電力をベースライン値にリセットすることをさらに含むのが好ましい。この方法は、キャリア負荷を有するキャリアが予め規定された第２の閾値を超える時期を決定することと、キャリア負荷を有するキャリアが予め規定された第２の負荷閾値を超える時期を、一時的なヒステリシス閾値と比較することと、をさらに含むのが好ましい。この方法は、複数のキャリアからの収集されたキャリア負荷情報に基づいて、キャリアのランク付けリストを生成することをさらに含んでよく、ダウンリンク送信電力を変化させることは、キャリアのランク付けリストのうち最も高くランク付けされたキャリアについて、ダウンリンク送信電力を変化させることをさらに含む。
【００１２】
別の態様では、本発明は、無線システムを提供し、無線システムは、複数のキャリアを有するマルチキャリア通信信号を受信するマルチキャリアベースステーションを含み、マルチキャリアベースステーションは、マルチキャリア通信信号を増幅する１つまたは複数のマルチキャリア増幅器システムを含む。無線システムは、ベースステーションに連結され、ダウンリンク信号を提供する１つまたは複数のアンテナと、複数のキャリアのうち少なくとも１つのキャリアのダウンリンク送信電力を、少なくとも１つの他のキャリアとは異なる値へと変化させるための、電力管理制御ユニットと、をさらに含む。
【００１３】
好適な実施形態では、電力管理制御ユニットは、複数のキャリアの負荷情報を収集し、ダウンリンク送信電力レベルの値をマルチキャリア増幅器システムに提供する、負荷収集手段を含む。負荷収集手段は、ネットワークに連結されていてよく、このネットワークから負荷情報を収集する。あるいは、負荷収集手段は、マルチキャリアベースステーションに連結されてもよく、マルチキャリアベースステーションから負荷情報を収集する。制御ユニットは、キャリアに対して電力レベル制御信号を生成するように構成された電力管理決定エンジンをさらに含むのが好ましく、電力レベル制御信号は、収集された負荷情報に基づいている。
【００１４】
別の態様では、本発明は、無線分散アンテナシステムを提供し、これは、複数のキャリアを有するマルチキャリア通信信号を受信するマルチキャリアベースステーションを含み、マルチキャリアベースステーションは、マルチキャリア通信信号を増幅する１つまたは複数のマルチキャリア増幅器システムを含む。無線分散アンテナシステムは、複数の別々のアンテナシステムを有する分散アンテナシステムであって、マルチキャリアベースステーションに連結され、ダウンリンク信号を提供する、分散アンテナシステムと、マルチキャリアベースステーションに連結され、複数のキャリアの負荷情報を収集し、ダウンリンク送信電力のさまざまな値をマルチキャリア増幅器システムに提供する、制御ユニットと、をさらに含む。
【００１５】
好適な実施形態では、制御ユニットは、マルチキャリアベースステーションから負荷情報を収集するようにさらに構成される。あるいは、制御ユニットは、ネットワークから負荷情報を収集するようにさらに構成される。制御ユニットは、複数のキャリアから負荷情報を収集する分散アンテナシステム管理サーバーと、キャリアに対して電力レベル制御信号を生成する電力管理決定エンジンと、をさらに含むのが好ましい。電力管理決定エンジンは、好ましくは、収集された負荷情報およびダウンリンク電力動作パラメータに基づいて、電力レベル制御信号を決定するように構成される。無線システムは、複数の第２のキャリアを有する第２のマルチキャリア通信信号を受信する第２のマルチキャリアベースステーションであって、第２のマルチキャリア通信信号を増幅する１つまたは複数の第２の増幅器を含む、第２のマルチキャリアベースステーションと、複数の第２の別々のアンテナシステムを有する第２の分散アンテナシステムであって、第２のマルチキャリアベースステーションに連結され、第２のダウンリンク信号を提供する、第２の分散アンテナシステムと、をさらに含むのが好ましい。制御ユニットは、好ましくは、第２のマルチキャリアベースステーションに連結され、複数の第２のキャリアから負荷情報を収集し、ダウンリンク送信電力の値を複数の第２のキャリアに提供する。
【００１６】
本発明のさらなる特徴および態様は、以下の詳細な説明に記載する。
【００１７】
〔発明の詳細な説明〕
本発明の目的は、携帯電話、スマートフォン、または他のモバイルデバイスなどのユーザー装置に通信するための屋内分散アンテナシステムの性能を動的に最適化するためのシステムおよび関連する方法を提供することである。屋内分散アンテナシステムに関連する主な問題は、マルチパスフェージングである。ある実施形態では、ユーザー装置は、ダウンリンクデータレート、受信信号の品質、およびユーザー装置の場所など、アンテナユニットにより伝送されるダウンリンク信号を記述する情報を測定する。サービスモジュールが、この情報を収集し、アンテナユニットそれぞれの、最適化された電力レベルを決定する。サービスモジュールは、好適な実施形態では、分散アンテナシステム内部の、ただ１つのアンテナユニット、またはアンテナユニットのサブセットを最適化することができる。その後、アンテナユニットのうち１つまたは複数は、最適化された電力レベルで、ダウンリンク信号を伝送する。好適な実施形態では、最適化された電力レベルは、減少することができる。その結果、屋内分散アンテナシステムの性能が高められる。
【００１８】
現代のモバイル通信ネットワークは、高められた効率および性能を必要とする。これらの目標は、ピーク使用時間中にネットワーク容量を増大し、モバイルデータデバイスのデータレートを高めると共に、信号品質およびネットワーク適用範囲を維持し、また、同じ場所の無線サービス（co-located wireless services）への有害な干渉を減少することによって、達成され得る。現代のスマートフォンは、動的に変化する無線トラフィックに対して応答するよう無線システムに追加要求する音声信号およびデータ信号のいずれも送受信する。さらに、通信媒体が音声からオンデマンドデータへと急速に移行するにつれて、通信標準の技術的進歩および進化により、無線サービスプロバイダにさらなる要求が課される。
【００１９】
分散アンテナシステム（「ＤＡＳ」）は、より良好な信号適用範囲を提供し、ネットワーク容量を改善し、大きなオフィスビル、病院、スタジアム、ショッピングモール、および大学のキャンパスなどの屋外の場所におけるデータレートを増大させるために、屋内の場所で採用されてきた。典型的なＤＡＳは、小さなサービスアンテナの集合であり、これらのアンテナは、所望の地理的エリアに広がり、ファイバーもしくは同軸ケーブルにより、ベースステーション信号がＤＡＳネットワークへと連結されるドナーノードへと戻って接続される。ＤＡＳテクノロジーは、マクロのセル部位をより小さな領域に分割することによって、キャリアが、適用範囲エリアにおける切れ目（gaps）、およびマクロネットワーク内のデッドスポットを減少させることを可能にする。
【００２０】
ＤＡＳネットワークの従来的配備は、ＤＡＳアンテナユニットまたはノードおよび遠隔ユニットの静的工学技術（static engineering）を伴い、アンテナユニットは、キャリア当たり、一定の標的電力レベルで動作する。この従来的アプローチは、所与のエリアにおいて、ある特定の品質の適用範囲を提供する。従来的配備は、工学技術の実践（engineering exercise）の一部として、マクロの信号パスロスおよび信号強度のみを考慮しているが、システムパラメータを、特定の配備シナリオに、または特定の容量のために微調整することはできない。
【００２１】
従来のＤＡＳシステム（受動的および能動的の双方）では、−７５ｄＢｍの受信信号レベルが、ＤＡＳシステムの一般的なデザインガイドラインとして使用された。しかしながら、これらの受信信号レベルが、著しいマルチパスへとつながるものである場合、いくつかの動作条件下において、直交性が改善され得る場合には、受信信号レベルを−７５ｄＢｍから−８５ｄＢｍまで下げることが非常に有利である。このことは、ＤＡＳシステムが、受信信号レベル（またはパスロス）を最適化して特定の環境および動作要件において直交性を増大させる目的で、個々のアクセスノードにおいて、遠隔的に利得／送信機電力（および他の動作パラメータ）を制御できることを必要とする。
【００２２】
第３世代システム、例えば３Ｇシステムまたは３．５  Ｇ  ＨＳＤＰＡ（「高速ダウンリンクパケットアクセス」）システムは、１．８、３．６、７．２、１４．０Ｍｂｉｔ／ｓ（「メガビット／秒」)のダウンリンク速度をサポートしている。より速いダウンリンク速度は、ＨＳＰＡ＋で利用可能であり、これは、３ＧＰＰ規格のリリース９で、最大４２Ｍｂｉｔ／ｓおよび８４Ｍｂｉｔ／ｓのダウンリンク速度を提供している。ＯＦＤＭ（「直交周波数分割多重」）は、１０ＭＨｚ以上のバンド幅を有するシステムについて、ＣＤＭＡ（「符号分割多元接続」）に比べ固有利点をもたらす。１０〜２０ＭＨｚの範囲のバンド幅は、多重入出力（「ＭＩＭＯ」）または適応アンテナシステム（「ＡＡＳ」）などの、高度なアンテナ構造で達成可能である。ＯＦＤＭは、ＣＤＭＡプロトコルに基づくものに比べて、あまり複雑な計算を必要としないため、極めて高いピークデータレートが達成可能である。ＨＳＤＰＡは、四位相偏移変調（Quadrature Phase Shift Keying）（「ＱＰＳＫ」）のＷＣＤＭＡに使用される変調、および高度な変調方式、例えば１６直交振幅変調（16 Quadrature Amplitude Modulation）（「１６ＱＡＭ」）を採用している。無線チャネルの状況によって、異なるレベルの前方誤り訂正（すなわち、チャネル符号化）も使用され得る。例えば、３／４符号化速度（three quarter coding rate）は、転送されるビットの４分の３が、ユーザービットであり、ビットの４分の１が、誤り訂正ビットであることを必要とする。最適な変調および符号化速度を選択し迅速に更新するプロセスは、リンク適応と呼ばれる。
【００２３】
ＨＳＤＰＡ適応のさらなる利点は、ＷＣＤＭＡとの完全な互換性であり、そのため、より新しいＷＣＤＭＡネットワークにおいて、ソフトウェアのみのアップグレード（software only upgrade）として配備され得る。最初に、リリース５のＨＳＤＰＡ対応デバイスは、３．６Ｍｂｐｓのピーク速度で伝送することができる。ＨＳＵＰＡ（「高速アップリンクパケットアクセス」）とも呼ばれる、拡張アップリンクプロトコル（「ＥＵＬ」）のリリース６は、スループットの改善、待ち時間の減少、および容量の増大をもたらす。ＥＵＬ、ならびに拡張専用チャネル（Enhanced Dedicated Channel）（「Ｅ−ＤＣＨ」）は、最大で５．８Ｍｂｐｓのデータレートを提供する。ＨＳＤＰＡとＥＵＬとの組み合わせは、ＨＳＰＡと呼ばれる。ピークデータレートおよび容量をさらに増加させるために、３ＧＰＰのリリース７は、ＨＳＰＡエボリューション（ＨＳＰＡ＋とも呼ぶ）を導入し、これは、ダウンリンクではＭＩＭＯ、６４ＱＡＭを、アップリンクでは１６ＱＡＭをサポートする。リリース８は、６４ＱＡＭとＭＩＭＯとの組み合わせを通じて、または、６４ＱＡＭ変調でデュアルキャリアを使用することにより、４２Ｍｂｐｓのダウンリンクビットレートをサポートする。
【００２４】
高データレートをサポートするこれらのテクノロジーは、スケジューリングに基づくシステムのスループットを最大にするため無線環境において各通信リンクのチャネル容量を十分に利用する無線リンク適応を必要とする。従来の高データレート無線リンクは、主に、屋外シナリオで配備された。屋内無線システムは、パスロスの増加と、Ｅ−ＤＣＨによりサポートされる信号処理技術に複雑な事態を持ち込む、急速に変化するマルチパス信号と、により、さらなる課題を提示している。Ｅ−ＤＣＨは、主に都市、郊外、および田舎の環境で使用するために開発された。
【００２５】
これらの屋内（室内）での開発課題に取り組むため、本発明の実施形態は、遠隔管理可能なアクティブＤＡＳを提供し、これは、動作パラメータに基づいた、動的なシステム最適化を可能にする。これらの動作パラメータには、ピークデータレート、持続可能最大データレート、所与のＱＯＳ（「サービス品質」）レベルでのＵＥ（「ユーザー装置」）数が含まれるが、これらに限定されない。ＤＡＳシステムは、ＨＳＰＡにおいて協調的なマルチコード最適化（co-operative multi-code optimization）を使用することにより、性能の柔軟性を示す。ＨＳＰＡ  ７．２プロトコルを使用するシステムは、好ましくは、符号直交性の十分な利益を得るためにマルチパス干渉なしの環境で動作する。
【００２６】
本発明の実施形態は、従来のＤＡＳシステムと対照をなす。従来のアプローチ、例えば、リリース７のＨＳＰＡにおけるＭＩＭＯは、伝送信号強度が、マルチパス効果を相殺するように増大されるべきであると示唆している。本発明の実施形態は、Ｗｉ−Ｆｉ、ＷｉＭａｘ、および他の開発中のテクノロジーなどであるがこれらに限定されない、他の無線アクセステクノロジー（「ＲＡＴ」）に適用されてもよい。ＲＡＴは、ニュートラルホストアクティブＤＡＳ（neutral host active DAS）において実行され得、特に、無線アクセスがロードされバランスをとり、マルチモード、マルチバンドＵＥのある（with radio access loading and balancing and multi-mode, multi-band UEs）通信量の多い状況では、容易に入手可能であると共に、単一の無線アクセスの実行では可能とならない高レベルのＱＯＳを提供する。さらに、スタジアムなどの一部の配備において、ＤＡＳシステムは、セル分割（cell split）（すなわちセクター化ＤＡＳ（sectorized DAS））を有する場合は特に、選択されたエリアで利得を最小化する必要がある。重なる領域で利得を選択的に制御する能力は、セクター間の干渉を減少させる。
【００２７】
本発明の実施形態は、フレキシブルな遠隔管理システムを含み、これは、アンテナ当たりのパスにおけるＤＡＳの利得およびリンク利得の合計を変えることにより、パスのアンテナ当たりのＥＩＲＰを最適化することができる。さらに、実施形態は、システム性能を最大限にするために有効なチャネルを変更する目的で、個々の中継器利得（低出力zinwaveノード（low power zinwave nodes）の場合のように）を変化させることができる。したがって、アクティブＤＡＳシステム、および前述した制限を回避すると共に無線サービスを改良する手段を提供する方法を使用することが望ましい。
【００２８】
シミュレーションでは、アクティブＤＡＳシステムが、従来システムに比べ、改良された性能を示すことが示唆される。ＨＳ−ＤＳＣＨ（「高速ダウンリンク共有チャネル」）における受信信号のＳＩＮＲ（「信号対干渉電力と雑音比（Signal to Interference-plus-Noise Ratio）」）は、以下の式により与えられ：
【数１】
0005961682.tif 000002
式中、αは、直交性因子であり、Ｐｏｗｎは、サービス提供しているベースステーションまたはアンテナからの合計受信電力であり、ＰＨＳ−ＤＳＣＨ＝は、ＨＳ−ＤＳＣＨチャネルにおける合計受信電力であり、Ｐｏｔｈｅｒは、別のベースステーションからの合計受信電力であり、ＳＦ１６は、１６の拡散因子である。
【００２９】
式１および直交性因子αは、ＨＳＰＡネットワークの性能を分析する上で、安定したパラメータである。マルチパス環境は、拡散コードの直交性に影響を及ぼす場合があり、その結果、他のコードからのセル間干渉（intra-cell interference）が生じる。この影響は、（１−α）＊Ｐｏｗｎにより、式の分母においてとらえられる（captured）。別のコードからの電力は、自己干渉を結果として生じ、ＳＩＮＲを低減し、その結果、スループットを低減する場合がある。
【表１】
0005961682.tif 000003
【００３０】
上記表１は、ＤＡＳの効果を示すシミュレーションである。Ｅｃ／ｌｏは、チップ当たりのエネルギー対干渉の比率（ＳＩＮＲの別の尺度）を表し、これは、直交性因子αの影響を含まない。直交性因子を考慮する場合、直交性がないことの影響が、表１に示されている。Ｅｃ／ｌｏが典型的には−１６ｄＢ〜−１３ｄＢの範囲のマクロネットワークでは、スループットは、述べたとおりである。しかしながら、ＤＡＳネットワークでは、Ｅｃ／ｌｏは、中継器により、典型的にはさらに大きく、また、−１０ｄＢとなり得る。しかしながら、最高の性能を得るため、直交性因子はやはり低くなくてはならない。利用可能なリンク利得は、６２％〜２００％の範囲で改善されたことに注意されたい。
【００３１】
表１は、２〜３個の態様を示している。第一に、ＤＡＳ配備の１つの利点は、ＨＳＰＡネットワークの性能を改善する（ＤＡＳ電力が−１０ｄＢのＥｃ／ｌｏをもたらすように設定される場合）。第二に、表１は、高度の直交性での配備を有することの利点を示している。これら２つの態様は、最大の性能が実現されるまでＤＡＳ電力増幅器の電力を自動調節するＤＡＳシステムの重要性を強調するものである。
【００３２】
図１は、本発明による、複数の屋内の部屋にサービス提供するＤＡＳシステム８の表示である。ＤＡＳシステム８は、ＤＡＳサービスモジュール３０と、複数の遠隔アンテナユニット、例えば遠隔アンテナユニット２０ａおよび２２ａと、を含む。ＤＡＳサービスモジュール３０は、コントローラ６０を含み、コントローラ６０は、外部通信用の光ファイバーフィード１０と、専用の制御および監視チャネル１２と、に連結される。ＧＰＳアンテナ３４およびドナーサービスアンテナ３２も、コントローラ６０に連結される。コントローラは、６２ａなどのインターフェースに連結され、これらのインターフェースは、ケーブル２４ａ〜２４ｆにより遠隔アンテナユニットに連結される。
【００３３】
内部１８ａ〜１８ｄは、例えばオフィスビルの複数のフロアなどのフロアまたは密閉空間の外形を示している。内部１８ａ〜１８ｄは、壁３６ａ〜３６ｄなどの内部障害物を有し得る。この非限定的な例では、１８ｄなどの各内部は、遠隔アンテナユニット２０ｄおよび２２ｄなどの、２つの遠隔アンテナユニットを有してよい。しかしながら、内部全体にわたって位置する１つまたは複数の遠隔アンテナユニットを使用することが企図される。２０ｄおよび２２ｄなどの遠隔アンテナユニットは、ＵＥ１６ｃおよび１６ｂなどのＵＥと通信する。
【００３４】
これらの遠隔アンテナユニットはそれぞれ、内部の中でダウンリンク信号を伝送し、ダウンリンク信号は、ＵＥに到達するまでに複数のパスを進む。その結果、ＵＥは、伝送された信号の複数のコピーの重ね合わせを受け取り、その結果、建設的または相殺的干渉を生じる場合がある。このマルチパス干渉は、ユーザーが内部の中を動く際にユーザーに提供されるサービス品質に著しく影響し得る。例えば、ＵＥ１６ｂは、パス４０ａおよび４０ｃそれぞれにより、遠隔アンテナユニット２０ｄおよび２２ｄから直接、ダウンリンク信号を受信する。さらに、ＵＥ１６ｂは、パス４０ｂおよび４０ｄそれぞれにより、壁３６ａおよび３６ｂで部分的に反射されたダウンリンク信号も受信する。したがって、ＵＥ１６ｂへのサービス品質は、パス４０ａ〜４０ｃを横断するダウンリンク信号の全体的な干渉によって決まる。ユーザーは、内部１８ｄの中を動く際に、異なるレベルのサービス品質を経験し得る。
【００３５】
他のシナリオでは、ＵＥにより受信されるダウンリンク信号は、シャドーイングの結果として、減衰され得る。例えば、ＵＥ１６ｃは、遠隔アンテナユニット２０ｄから、減衰したダウンリンク信号を受信し得る。これは、この信号が、壁３６ｃを通過するためである。遠隔アンテナユニット２２ｄからのダウンリンク信号の強度は、ＵＥ１６が、開口部３８を通じてダウンリンク信号を受信するため、より強くなり得る。同様に、ＵＥ１６ａは、パス４０ｆが妨げられていないパスであるため、遠隔アンテナユニット２０ａから、より強い伝送信号を受信する。ＵＥ１６ａは、パス４０ｅが壁３６ｅにより妨げられているので、遠隔アンテナユニット２２ａから、より弱い信号を受信する。
【００３６】
したがって、複数の遠隔伝送器を備えた、単一のキャリアを支持するＤＡＳネットワーク８は、サポートされるテクノロジーおよび環境に基づいて、各遠隔アンテナユニットの送信電力レベルを最適化することができる。ダウンリンク速度またはチャネル品質に関するＵＥまたはモバイルステーションからのフィードバック情報は、所与のエリアにサービス提供する各ＤＡＳクラスターについて求められる。このフィードバック情報は、サービス提供したクラスターの平均データレートを決定するために分析される。マクロ信号を繰り返すＤＡＳネットワークの場合、モバイルステーションからのＧＰＳ情報を使用して、ＤＡＳによりサービスを受けるエリアのみに、分析を制限することができる。クラスターにサービス提供するすべてのＤＡＳ遠隔アンテナユニットからのダウンリンク送信電力は、Ｐｉｎｉｔｉａｌから次第に増大する。このアルゴリズムは、クラスター容量が飽和状態になるまで、電力を増大させ続ける。このアルゴリズムは、単一のセクター信号を繰り返すクラスター、または、同じ周波数の再利用を実行するクラスターに、利用され得る。
【００３７】
図２は、分散アンテナシステム８内において遠隔アンテナユニットのダウンリンク送信電力を最適化する例示的なプロセスを示すフローチャートである。本質的に、このプロセスは、ＵＥから信号情報を収集し、システムの平均容量Ｃｉを決定する。先の反復以来、容量が改善されていた場合、送信電力Ｐｔｘは増加し、次の組の信号情報が収集される。一方、平均容量Ｃｉが先の反復以来改善されていなかった場合、送信電力Ｐｔｘは減少する。送信電力Ｐｔｘは、最大電力レベルＰｍａｘを超えることはできない。
【００３８】
具体的には、このプロセスは、ステップ２１０で始まる。送信電力Ｐｔｘは、初期電力レベルＰｉｎｉｔｉａｌに設定され、初期容量Ｃｉ-１は、０に設定される（ステップ２１２）。信号情報は、ＵＥ１６ｂおよび１６ｃなどのＵＥから収集される（ステップ２１４）。この信号情報には、ダウンリンクデータレート、ＵＥにより受信されるダウンロード信号品質、ＵＥの場所情報、ピークデータレート、ダウンリンク信号の最大持続可能データレート、および／またはＱＯＳ（「サービス品質」）閾値を超えるＱＯＳを有するＵＥの数が含まれ得るが、これらに限定されない。平均容量Ｃｉは、ＤＡＳクラスターの収集された信号情報に基づいて推定される（ステップ２１６）。現在の推定容量Ｃｉは、先の平均容量Ｃｉ-１と比較される（ステップ２１８）。システムの平均容量が改善されている場合、プロセスはステップ２２０に進む。容量が改善されていない場合、プロセスは、ステップ２２４に進み、ここで送信電力Ｐｔｘを低減し、ステップ２２６で終わる。送信電力Ｐｔｘは増大され、Ｐｔｘ＋ΔＰに設定される（ステップ２２０）。ある実施形態では、送信電力Ｐｔｘは、遠隔アンテナユニット２０ｄおよび２２ｄなど、すべての遠隔アンテナユニットで増大される。好適な実施形態では、送信電力Ｐｔｘは、遠隔アンテナ２０ｄのみなど、ただ１つの遠隔アンテナ、または、すべての遠隔アンテナユニットのサブセットで、増大される。送信電力Ｐｔｘは、次に、最大送信電力Ｐｍａｘと比較される（ステップ２２２）。最大送信電力Ｐｍａｘは、個々の遠隔アンテナユニットの最大電力であってよく、あるいは、１組の遠隔アンテナユニットの最大送信電力であってよく、あるいは、ＤＡＳシステム８全体の最大送信電力であってよい。送信電力Ｐｔｘが、最大送信電力Ｐｍａｘ未満である場合、プロセスは、ステップ２１４に進む。別の状況では、プロセスは、ステップ２２４に進む。送信電力Ｐｔｘは、低減され、Ｐｔｘ−ΔＰに設定される（ステップ２２４）。プロセスは、ステップ２２６で終了する。
【００３９】
前記のとおり、屋内の分散環境（indoor, scattering environment）の存在は、不利益なものである。さらに、隣の遠隔アンテナユニットからの信号が、マルチパスフェージングを増大させ得る。このようなシナリオでは、各遠隔アンテナユニットからのダウンリンク送信電力を、全体の拡散（overall spread）を最小減にするレベルまで実際に低減することが、役立ち得る。
【００４０】
実施形態は、バンド選択的電力管理（band selective power management）を用いて不均一なシステム性能を最適化するシステムおよび方法を提供する。ある実施形態では、キャリアそれぞれの、負荷容量およびダウンリンク送信電力動作パラメータを収集する。ダウンリンク送信電力動作パラメータは、各キャリアの、最小、最大、公称、および現在の送信電力レベルを含み得る。制御ユニットが、負荷およびダウンリンク送信電力動作パラメータに基づいて、キャリアの最適化されたダウンリンク送信電力レベルを決定する。選択されたキャリアの送信電力レベルは、キャリア負荷容量が最適化されるまで増大される。電力レベルは、その後、キャリアの負荷が低減されると、ベースライン性能パラメータまで低減され得る。
【００４１】
従来的に、ＤＡＳネットワークは、低い信号強度を経験する領域において、マクロのセルラー信号適用範囲を改良するために、配備される。これらのシステムは、容量問題の解決策として、スタジアムおよび会議場の中といった、通信量の多い配置において、均一な適用範囲を提供するためにも使用されてきた。これら２つのケースのいずれにおいても、ニュートラルホスト配置では特に、ＤＡＳネットワークが複数のキャリアおよび複数のテクノロジーの要求を満たすことは、一般的である。これは、パーバンド電力増幅器（per band power amplifiers）、または代わりに、ベースステーション設備からの信号およびベースステーション設備への信号を反復するのに使用されるいくつかのワイドバンド低電力増幅器を採用することにより、達成される。ほとんどの適用において、各キャリアは、予め設定された電力レベル出力を有し、これは、操作中維持される。
【００４２】
不均一なシステム性能は、バンド選択的電力管理を使用して最適化され得る。以下に記載する技術は、ＭＩＭＯ付きおよびＭＩＭＯなしで、２Ｇから４Ｇまで複数のテクノロジーをサポートするＤＡＳネットワークにおいて、電力管理による性能最適化に取り組むものであり、将来のテクノロジーおよびキャリアをサポートするために現在のＤＡＳネットワークの能力を高める。
【００４３】
このようなＤＡＳシステムの配備およびプロビジョニングは、将来的拡張のために必要ないくらかのマージンを維持することに加えて、各テクノロジーに均一に良好な適用範囲を提供するために各キャリアに必要とされる電力を決定することに基づく。このようなプロビジョニング戦略は、サポートを必要とするテクノロジーの数が増えているので、効果がなくなってきている。本発明は、追加的キャリアが低コストで適応され得るように、費用効率が良い方法でこの問題の解決策を提供する。
【００４４】
また、複数のキャリアが配備されるので、各キャリアの負荷は、ユーザーの使用パターンの変化、および新しいテクノロジーの採用により、均一でない場合がある。古いキャリアは依然として、あるテクノロジーについて最小の適用範囲を維持するためにサポートを必要としている場合がある。キャリア全体にわたる使用および容量の非均一性を利用して、キャリア全体にわたるインテリジェントな電力管理によってより多くの使用を経験するテクノロジーに対し、より多くの容量およびスループットを提供することができる。
【００４５】
図３は、ライン３０１により１つまたは複数のマルチキャリアベースステーションサブシステム３００と通信可能に連結された、ＤＡＳシステム８を描く。図４は、マルチキャリアベースステーションサブシステム３００のうち１つの例示的な概略ブロック図を表す。１つまたは複数のマルチキャリアベースステーションサブシステム３００は、ネットワーク３０５に連結された第１のマルチキャリアサブシステム３０２ａを含み得る。マルチキャリアベースステーションサブシステム３００は、やはりネットワーク３０５に連結された、概して「ｎ」として３０２ｎにより示される、他のマルチキャリアサブシステムも有し得る。第１のマルチキャリアサブシステム３０２ａは、キャリアトランシーバー３３１ａおよび３３２ａにより表される１つまたは複数のキャリアトランシーバーを含む。キャリアトランシーバー３３１ａおよび３３１ａは、図３にライン３０１として描かれるライン３０１ａを経由してＤＡＳシステムに音声およびデータ通信信号を提供する、第１のマルチキャリア電力増幅器二重化システム３３５ａに連結される。同様に、「第ｎ」のマルチキャリアサブシステム３０２ｎは、キャリアトランシーバー３３１ｎおよび３３２ｎにより表される１つまたは複数のキャリアトランシーバーを含む。キャリアトランシーバー３３１ｎおよび３３１ｎは、ライン３０１ｎを経由して音声およびデータ通信信号を提供する、対応するマルチキャリア電力増幅器二重化システム３３５ｎに連結される。
【００４６】
マルチキャリアベースステーションサブシステム３００は、ＤＡＳ管理サーバー３４２および電力管理決定エンジン３４４を有する制御ユニット３４０をさらに含む。ＤＡＳ管理サーバー３４２は、信号ライン３１０ａ、３１１ａ、３１Ｏｎ、３１１ｎを経由して、第１のサブシステム３０１ａおよび第ｎのサブシステム３０１ｎなど、ベースステーションサブシステムのうち１つまたは複数から、負荷情報を収集する。ある実施形態では、ＤＡＳ管理サーバー３４２は、例えばリンク３０６により、ネットワーク３０５から負荷情報を収集することができる。以下に記載するように、ＤＡＳ管理サーバー３４２は、収集された負荷情報に基づいて、キャリアのランク付けリストを決定する。電力管理決定エンジン３４４が、制御ライン３２０ａ、３２０ｎ、３２０ａ、３２０ｎにより、キャリアそれぞれの電力レベルを決定する。
【００４７】
各ＤＡＳ電力増幅器（「ＰＡ」）で利用可能な電力の合計は、Ｐｔｏｔａｌとして示される。キャリア「ｃ」の合計公称電力量（total nominal power budget）は、Ｐｃ_ｎｏｍｉｎａｌで表される。キャリア「ｃ」の最小電力量（minimum power budget）は、Ｐｃ＿ｍｉｎで表され、最大電力量は、Ｐｃ＿ｍａｘとして表されることができる。
【００４８】
各キャリアは、Ｐｃ_ｎｏｍｉｎａｌ、Ｐｃ＿ｍｉｎ、およびＰｃ＿ｍａｘの値で設定される。さらに、（ＭＩＭＯ対応キャリアについて）キャリアが単一の伝送アンテナを使用しているのか、または２つの伝送アンテナを使用しているのかに基づいて、異なる値が設定され得る。パラメータは、電力利得で達成される容量利得に基づくテクノロジーに基づいて、操作される必要がある。
【００４９】
ＤＡＳ管理サーバーは、キャリア当たりの利用状態（utilization）に基づいてランク付けリストを決定するためにキャリア全体にわたりサービスを提供する全ベースステーションから負荷情報「Ｌｃ」を収集する。ある実施形態では、ＤＡＳ管理サーバーは、例えば、ネットワークから負荷情報を収集し得る。あるいは、キャリア当たりの負荷の度合い（measure）は、キャリア当たりの平均ＲＦ信号電力を測定し、それを、較正された全負荷測定値と比較することによって、決定され得る。
【００５０】
電力管理アルゴリズムは、特定のキャリアの負荷が、予め設定した閾値Ｌｈｉｇｈを超えた場合に、システム負荷の変化に応答して、手動で、または自動的にトリガーされ得る。自動的なトリガーはヒステリシスも含んで、先のトリガーに対するシステム応答が安定状態に到達した後で、現在の負荷事象が持続し、任意の再配分分析が行われることを確実にすることができる。
【００５１】
電力借用（Power borrowing）および電力共有（Power sharing）にふさわしいキャリアのリストは、以下のように識別される。キャリアは、負荷に基づいて２つのリストのうち１つに予め割り当てられ得る。Ｌｃ＿ｃｕｒｒｅｎｔ＜Ｌｌ０Ｗである場合、「電力共有」のリストにキャリアが追加され得る。Ｌｃ＿ｃｕｒｒｅｎｔ＞Ｌｈｉｇｈである場合、「電力借用」のリストにキャリアが追加され得る。
【００５２】
電力管理決定エンジンは、Ｐｃを以下のように決定する。合計の余剰電力は、
Ｐｓｕｒｐｌｕｓ＝Ｐｓｕｒｐｌｕｓ＿１＋Ｐｓｕｒｐｌｕｓ＿２＋・・・＋Ｐｓｕｒｐｌｕｓ＿ｎ
により与えられ、
各キャリアのＰｓｕｒｐｌｕｓ＿ｃは、
Ｐｓｕｒｐｌｕｓ＿ｃ＝ｍａｘ（０，Ｐｃ＿ｃｕｒｒｅｎｔ−ｍａｘ（Ｐｃ＿ｍｉｎ，ｆ（Ｌｃ）＊Ｐｃ＿ｎｏｍｉｎａｌ））
により与えられ、
ｆ(Ｌｃ)は、負荷Ｌｃをサポートするのに必要な電力倍率（power scaling factor）を表し、Ｐｃ＿ｍｉｎは、キャリア「ｃ」の最小適用範囲を確実にするのに使用される閾値である。
【００５３】
キャリアｃに対する、要求される電力増加（power boost）は、
Ｐｃ＿ｒｅｑ＝ｍｉｎ（（Ｐｃ＿ｍａｘ−Ｐｃ＿ｃｕｒｒｅｎｔ），ｍａｘ（（ｆ（Ｌｃ）−１）＊Ｐｃ＿ｎｏｍｉｎａｌ，０））
により与えられ、
ｆ（Ｌｃは、現在の利用状態を表し、これは、公称負荷の下では１に等しい。
【００５４】
各キャリアについて、実際の電力増加は、
Ｐｃ＿ｂｏｏｓｔ＝ｆ＊Ｐｓｕｒｐｌｕｓ
により与えられ、
ｆ＝Ｐｃ＿ｒｅｑ／（Ｐ１＿ｒｅｑ＋Ｐ２＿ｒｅｑ＋・・・Ｐｎ＿ｒｅｑ）であり、キャリアｃの相対的な電力需要を表す。
【００５５】
実施形態では、電力を再配分するための実際の処方は、１つのキャリアに対し、別のキャリアよりも電力の共有を優先させるための重み付け係数（weighing factors）も含み得る、他のインプリメンテーションを用いて行われることもできる。
【００５６】
共有リストの各キャリアについて、
Ｐｃ＝Ｐｃ＿ｃｕｒｒｅｎｔ＋Ｐｃ＿ｂｏｏｓｔ
である。
【００５７】
各キャリアに配分された適切な利得は、次に、例えば、各信号をスケール変更する（scales）電力増幅器の入力装置において何らかの形態の可変信号減衰手段によって実行されることができ、キャリア当たりの適切な電力が、ＶＶＡ（可変電圧減衰器）など、当技術分野で周知の技術を使用して、送られ得る。
【００５８】
電力の再配分は、いくつかのキャリアの時間依存の負荷が減少すると、ベースラインパラメータに戻り得る。
【００５９】
実施形態は、他のより頻繁に使用されるキャリアの性能および容量を改善するため、いくつかのキャリアにおいてより低い利用状態（および必要な容量）を交換する（trade off）のに使用され得る。実施形態は、（ＭＩＭＯ対応のもの、または、より高次のＱＡＭを使用するもののように）高電力の利益を得ることができるキャリアを選択的に増大させることによって、全体的なネットワーク性能を有利に改善することができる。
【００６０】
実施形態は、追加のキャリアを導入する目的で、現存するＤＡＳネットワークのオーバープロビジョニングおよび管理も可能とする。いくつかのキャリアによって使用されないか、または特定の期間において使用されない、余剰電力は、新しいＤＡＳのアップグレードを遅らせるための戦略として、必要としている他のものにインテリジェントに割り当てられ得る。
【００６１】
図５は、前述した一般的説明に従ってキャリアのダウンリンク送信電力を最適化する例示的なプロセスを示す、フローチャートである。自動電力再配分が、ステップ５１０で始まる。キャリアそれぞれの最小、最大、公称、および現在の送信電力レベルなどのダウンリンク送信電力動作パラメータが決定される（ステップ５１２）。各ＤＡＳ電力増幅器（「ＰＡ」）の総電力は、Ｐｔｏｔａｌで示される。キャリア「ｃ」の合計公称電力レベルは、Ｐｃ＿ｎｏｍｉｎａｌで表される。キャリア「ｃ」の最小電力レベルおよび最大電力レベルはそれぞれ、Ｐｃ＿ｍｉｎおよびＰｃ＿ｍａｘで表される。
【００６２】
前述のとおり、各キャリアは、Ｐｃ＿ｎｏｍｉｎａｌ、Ｐｃ＿ｍｉｎ、Ｐｃ＿ｍａｘの値で設定される。ある実施形態では、（ＭＩＭＯ対応キャリアについて）キャリアが単一の伝送アンテナを使用しているのか、または２つの伝送アンテナを使用しているのかに基づいて、これらのパラメータの異なる値が設定され得る。パラメータは、テクノロジー、および電力利得で達成される容量改善に基づいて決定される必要がある。
【００６３】
ＤＡＳ管理サーバー３４２は、ある実施形態では、キャリア当たりの利用状態に基づいて収集された負荷情報を決定するために、キャリアにわたってサービスを提供する全ベースステーションから負荷情報「Ｌｃ」を収集する（ステップ５１４）。ＤＡＳ管理サーバー３４２は、ある実施形態では、リンク３０６を経由して、ネットワーク５からキャリア負荷情報を収集し得る。これらの非限定的な例では、収集された負荷情報は、ランク付けリストなどのさまざまな形態で、または、全負荷測定値の割合として、表され得る。
【００６４】
例えば、図６Ａは、キャリアの負荷のランク付けリストを生成するための例示的なプロセスを示すフローチャートを描く。このプロセスは、ステップ６１０で始まり、全ベースステーション（ＢＳ）からのキャリアすべての負荷情報が収集される（ステップ６１２）。負荷情報に基づいたキャリアのランク付けリストが生成され（ステップ６１４）、プロセスが終了する（ステップ６１６）。
【００６５】
あるいは、キャリア当たりの負荷の度合いは、図６Ｂに示すように、キャリア当たりの平均ＲＦ信号電力を測定し、それを、較正された全負荷測定値と比較することにより、決定されることができる。プロセスが開始され（ステップ６２０）、キャリア当たりの平均ＲＦ信号電力Ｐｃが計算される（ステップ６２２）。Ｌｃの推定値は、ＰｃｕｒｒｅｎｔとＰｆｕｌｌ＿ｌｏａｄの割合に基づいて計算される（ステップ６２４）。このプロセスはステップ６２６で終わる。
【００６６】
図５を参照すると、ある実施形態では、電力管理制御装置が、例えば特定のキャリアの負荷Ｌｃが予め設定した閾値Ｌｈｉｇｈを超えたときに、システム負荷の特定の変化に応答して、トリガーされ得る（ステップ５１６）。このトリガーは、ある実施形態では、ヒステリシスも含んで、先のトリガーに対するシステム応答が安定状態に到達した後で、現在の負荷事象が持続し、任意の再配分分析が行われることを確実にすることができる（ステップ５１８）。例えば、ＬｃがＬｈｉｇｈを超えたことが検知されてから経過した時間Ｔｃが決定され、予め決定された閾値Ｔｈｙｓｔｅｒｅｓｉｓと比較される（ステップ５１８）。ある実施形態では、Ｔｃは、ＬｃがＬｈｉｇｈを下回るとゼロにリセットされる。Ｔｈｙｓｔｅｒｅｓｉｓは、送信電力レベルの変化を必要とするために負荷がＬｈｉｇｈを超えなければならない時間である。この特徴により、システムがキャリア負荷の即時変動に対して反応しないことが確実となる。ＴｃがＴｈｙｓｔｅｒｅｓｉｓを超えると、プロセスはステップ５２０へと続く。別の状況では、プロセスはステップ５１４に戻り、負荷情報がキャリアから収集される。
【００６７】
ある実施形態では、電力管理制御装置は続けて、以下のように、送信電力の増大を決定する。まず、余剰合計Ｐｓｕｒｐｌｕｓが決定される（ステップ５２０）。本明細書で使用される場合、余剰および合計余剰電力レベルとは、キャリアの利用可能な電力、および複数のキャリアの利用可能な合計電力をそれぞれ指す。例えば、キャリアの利用可能な電力は、現在の送信電力と、キャリアが所与の領域内で伝送するのに必要とされる最小電力レベルとの間の差により表され得る。
【００６８】
図６Ｃは、キャリアそれぞれの余剰電力（すなわち利用可能な電力）を決定するプロセスの、例示的で非限定的な例を示すフローチャートである。このプロセスは、ステップ６３０で始まり、ステップ６３２へと続き、ここでキャリア指定パラメータｃ、およびＰｓｕｒｐｌｕｓの値がゼロに設定される。キャリア指定パラメータｃは、キャリアの総数Ｎｕｍ＿ｃａｒｒｉｅｒｓと比較される（ステップ６３４）。キャリア指定パラメータｃがキャリアの総数Ｎｕｍ＿  ｃａｒｒｉｅｒｓ未満である場合、Ｐｓｕｒｐｌｕｓが計算される（ステップ６３６）。別の状況では、プロセスが終了する（ステップ６４０）。
【００６９】
余剰電力の合計は、以下の式により与えられ：
Ｐｓｕｒｐｌｕｓ＝Ｐｓｕｒｐｌｕｓ＿１＋Ｐｓｕｒｐｌｕｓ＿２＋・・・＋Ｐｓｕｒｐｌｕｓ＿ｎ
各キャリアのＰｓｕｒｐｌｕｓは、送信電力情報に基づいて、以下により決定され得：
Ｐｓｕｒｐｌｕｓ＿ｃ＝ｍａｘ（０，Ｐｃ＿ｃｕｒｒｅｎｔ−ｍａｘ（Ｐｃ＿ｍｉｎ，ｆ（Ｌｃ）＊Ｐｃ＿ｎｏｍｉｎａｌ））
ｆ（Ｌｃ）は、負荷Ｌｃをサポートするのに必要な電力倍率を表し、Ｐｃ＿ｍｉｎは、キャリア「ｃ」の最小適用範囲を確実にするのに使用される閾値である。ｆ（Ｌｃ）は、現在の利用状態を表し、これは、公称負荷の下では１に等しい。ある実施形態では、ｆ（Ｌｃ）は、
ｆ（Ｌｃ）＝Ｌｃ／Ｌｎｏｍｉｎａｌ
として表され得る。
【００７０】
キャリア指定パラメータｃは、１ずつ増加し（ステップ６３８）、プロセスはステップ６３４に戻る。
【００７１】
図５を参照すると、各キャリアの要求電力増加Ｐｃ＿ｒｅｑが決定される（ステップ５２２）。キャリアｃに対する要求電力増加Ｐｃ＿ｒｅｑは、以下の式により与えられ得る：
Ｐｃ＿ｒｅｑ＝ｍｉｎ（（Ｐｃ＿ｍａｘ−Ｐｃ＿ｃｕｒｒｅｎｔ），ｍａｘ（（ｆ（Ｌｃ）−１）＊Ｐｃ＿ｎｏｍｉｎａｌ，０））。
【００７２】
各キャリアについて、実際の電力増加Ｐｃ＿ｂｏｏｓｔが決定され（ステップ５２４）、これは、以下の式により与えられ得：
Ｐｃ＿ｂｏｏｓｔ＝ｆ＊Ｐｓｕｒｐｌｕｓ
ｆ＝Ｐｃ＿ｒｅｑ／（Ｐ１＿ｒｅｑ＋Ｐ２＿ｒｅｑ＋・・・Ｐｎ＿ｒｅｑ）は、キャリアｃにより必要とされる相対電力を表す比例因子である。電力を再配分する実施形態は、１つのキャリアへの電力の共有を別のキャリアよりも優先させる重み付け係数（weighing factors）も含み得る、他の方法を含むことができることに、注意されたい。
【００７３】
電力共有リストの各キャリアについて、キャリア電力Ｐｃは、Ｐｃ＝Ｐｃ＿ｃｕｒｒｅｎｔ＋Ｐｃ＿ｂｏｏｓｔにリセットされる（ステップ５２６）。電力制御プロセスは、その後ステップ５１４に戻る。
【００７４】
ある実施形態では、各キャリアに割り当てられた適切な利得が、さまざまな方法によって、例えば、各信号をスケール変更する電力増幅器の入力装置における何らかの形態の可変信号減衰によって、制御されることができ、キャリア当たりの適切な電力が送られ得る。例えば、制御ライン３２０ａ、３２１ａ、３２０ｎ、３２１ｎは、次に、所与のキャリアについてマルチキャリア電力増幅器二重化システム３３５ａおよび３３５ｎの利得を変化させるように作動され得る。電力再配分は、いくつかのキャリアの時間依存の負荷が減少されると、ベースラインパラメータに戻ることができる。
【００７５】
本発明は、主に、分散アンテナシステムからユーザー装置、例えば携帯電話またはスマートフォン、に伝送されるダウンリンク信号の送信電力レベルを動的に最適化するシステムおよび手段として説明されてきた。この点において、ダウンリンク信号の送信電力レベルを最適化するシステムおよび手段は、例示および説明の目的で提示されている。さらに、説明は、発明を、本明細書に開示された形態に制限することを意図していない。したがって、関連技術の以下の教示、スキル、および知識に一致する変形および改変は、本発明の範囲内である。本明細書に記載される実施形態は、本明細書に開示される発明を実施するための既知の様式を説明すること、ならびに当業者が、同等の、もしくは代替的な実施形態において、本発明の特定の適用もしくは使用により必要と考えられるさまざまな改変を有する本発明を利用できること、をさらに意図している。
【００７６】
〔実施の態様〕
（１）  分散アンテナシステムのダウンリンク送信電力を最適化する方法において、
分散アンテナシステムにおける複数の別々のアンテナユニットに共通のダウンリンク信号を提供することと、
収集されたユーザー情報に基づいてシステム性能を高めるために前記アンテナユニットの利得を変化させることと、
を含む、方法。
（２）  実施態様１に記載の分散アンテナシステムのダウンリンク送信電力を最適化する方法において、
ユーザー装置（ＵＥ）により報告される前記ダウンリンク信号のピークデータレートを含む、前記ダウンリンク信号を記述する情報を、前記ＵＥから収集することをさらに含む、方法。
（３）  実施態様２に記載の分散アンテナシステムのダウンリンク送信電力を最適化する方法において、
情報を収集することは、
前記ＵＥにより報告される前記ダウンリンク信号の最大持続可能データレートを収集することと、
ＱＯＳ（サービス品質）閾値を超えるＱＯＳを有するＵＥの数を収集することと、
をさらに含む、方法。
（４）  実施態様１に記載の分散アンテナシステムのダウンリンク送信電力を最適化する方法において、
前記アンテナユニットの前記利得を変化させることは、マルチパス干渉を低減するために１つまたは複数のアンテナユニットの利得を低減することを含む、方法。
（５）  実施態様１に記載の分散アンテナシステムのダウンリンク送信電力を最適化する方法において、
前記アンテナユニットの前記利得を変化させることは、前記分散アンテナシステムの総利得を変化させることを含む、方法。
【００７７】
（６）  実施態様１に記載の分散アンテナシステムのダウンリンク送信電力を最適化する方法において、
前記アンテナユニットの前記利得を変化させることは、個々のアンテナユニットのリンク利得を変化させることを含む、方法。
（７）  実施態様１に記載の分散アンテナシステムのダウンリンク送信電力を最適化する方法において、
前記アンテナユニットは、内壁により隔てられる屋内空間にグループ化され、
前記アンテナユニットの前記利得を変化させることは、前記アンテナユニットのグループの利得を独立して変化させることを含む、方法。
（８）  分散アンテナシステムのダウンリンク送信電力を最適化する方法において、
第１の電力レベルを有する共通のダウンリンク信号を、第１のアンテナユニットおよび第２のアンテナユニットからユーザー装置（ＵＥ）へ伝送することであって、前記第１のアンテナユニットおよび前記第２のアンテナユニットは、物理的に分離されている、ことと、
前記ＵＥにより報告される前記ダウンリンク信号を記述する情報を収集することと、
収集された前記情報に基づいて、前記第１のアンテナユニットおよび第２のアンテナユニットのダウンリンク送信電力がいつ更新されるべきかを決定することと、
第２の電力レベルを有するダウンリンク信号を、前記第１のアンテナユニットおよび前記第２のアンテナユニットから伝送することと、
を含む、方法。
（９）  実施態様８に記載の分散アンテナシステムのダウンリンク送信電力を最適化する方法において、
前記ダウンリンク信号を記述する情報を収集することは、
前記ＵＥにより報告される前記ダウンリンク信号のダウンリンクデータレートを収集することと、
前記ＵＥにより報告される前記ダウンリンク信号の信号品質情報を収集することと、
前記ＵＥにより報告される場所情報を収集することと、
を含む、方法。
（１０）  実施態様９に記載の分散アンテナシステムのダウンリンク送信電力を最適化する方法において、
前記第１のアンテナユニットおよび第２のアンテナユニットのダウンリンク送信電力がいつ更新されるべきかを決定することは、
収集された前記情報に基づいて現在の平均容量を推定することと、
前記現在の平均容量を先の平均容量と比較することと、
を含む、方法。
【００７８】
（１１）  実施態様１０に記載の分散アンテナシステムのダウンリンク送信電力を最適化する方法において、
前記現在の平均容量が前記先の平均容量未満であるとき、前記第２の電力レベルは、前記第１の電力レベル未満である、方法。
（１２）  実施態様１０に記載の分散アンテナシステムのダウンリンク送信電力を最適化する方法において、
前記現在の平均容量が前記先の平均容量より大きいとき、前記第２の電力レベルは、前記第１の電力レベルより大きい、方法。
（１３）  実施態様１０に記載の分散アンテナシステムのダウンリンク送信電力を最適化する方法において、
前記第２の電力レベルを最大電力閾値と比較することと、
前記第２の電力レベルが前記最大電力レベルを超える場合、前記第２の電力レベルを前記第１の電力レベルまで下げることと、
をさらに含む、方法。
（１４）  実施態様９に記載の分散アンテナシステムのダウンリンク送信電力を最適化する方法において、
前記ダウンリンク信号を記述する情報を収集することは、
前記ＵＥにより報告される前記ダウンリンク信号のピークデータレートを収集することと、
前記ＵＥにより報告される前記ダウンリンク信号の最大持続可能データレートを収集することと、
ＱＯＳ（サービス品質）閾値を超えるＱＯＳを有するＵＥの数を収集することと、
をさらに含む、方法。
（１５）  実施態様１４に記載の分散アンテナシステムのダウンリンク送信電力を最適化する方法において、
前記第１のアンテナユニットおよび第２のアンテナユニットのダウンリンク送信電力がいつ更新されるべきかを決定することは、
収集された前記情報に基づいて現在の平均容量を推定することと、
前記現在の平均容量を先の平均容量と比較することと、
をさらに含む、方法。
【００７９】
（１６）  実施態様８に記載の分散アンテナシステムのダウンリンク送信電力を最適化する方法において、
前記第１のアンテナユニットおよび前記第２のアンテナユニットは、屋内に位置する、方法。
（１７）  実施態様８に記載の分散アンテナシステムのダウンリンク送信電力を最適化する方法において、
前記ダウンリンク信号は、単一のセクターキャリア信号を含む、方法。
（１８）  分散アンテナシステムにおいて、
ダウンリンク信号を提供する分散アンテナシステムサービスモジュールと、
前記ダウンリンク信号を受信するために伝送ケーブルにより前記分散アンテナシステムサービスモジュールに連結され、前記ダウンリンク信号を無線伝送するように構成された、第１のアンテナユニットおよび第２のアンテナユニットであって、物理的に分離されている、第１のアンテナユニットおよび第２のアンテナユニットと、
を含み、
前記分散アンテナシステムサービスモジュールは、前記アンテナユニットから前記ダウンリンク信号を受信し前記アンテナユニットにアップリンク情報を伝送する複数のユーザー装置（ＵＥ）からの、収集された情報に基づいて、前記第１および第２のアンテナユニットの送信電力レベルを制御するように構成される、分散アンテナシステム。
（１９）  実施態様１８に記載の分散アンテナシステムにおいて、
前記第１および第２のアンテナユニットは、屋内に位置し、単一空間の別々のサービスエリアをカバーしている、分散アンテナシステム。
（２０）  実施態様１９に記載の分散アンテナシステムにおいて、
伝送ケーブルにより前記分散アンテナシステムサービスモジュールに連結され、前記ダウンリンク信号を無線伝送するように構成された第３のアンテナユニットおよび第４のアンテナユニットであって、前記第１および第２のアンテナユニットから壁により隔てられた第２の空間において物理的に分離される、第３のアンテナユニットおよび第４のアンテナユニットをさらに含み、
前記分散アンテナシステムサービスモジュールは、前記第３および第４のアンテナユニットから前記ダウンリンク信号を受信し、アップリンク情報を前記第２の空間の前記アンテナユニットに伝送する複数のユーザー装置（ＵＥ）からの、収集された情報に基づいて、前記第３および第４のアンテナユニットの送信電力レベルを制御するように構成される、分散アンテナシステム。
【００８０】
（２１）  分散アンテナシステムのダウンリンク送信電力を最適化する方法において、
複数のキャリアにおいて動作するマルチキャリアベースステーションから個々のキャリア負荷情報を収集することと、
収集された前記キャリア負荷情報に基づいて、前記複数のキャリアのうち少なくとも１つのキャリアのダウンリンク送信電力を、少なくとも１つの他のキャリアとは異なる値に変化させることと、
を含む、方法。
（２２）  実施態様２１に記載の分散アンテナシステムのダウンリンク送信電力を最適化する方法において、
前記ダウンリンク送信電力を変化させることは、
前記複数のキャリアのうちの１つのキャリアが、予め規定された閾値より大きいキャリア負荷を有するかどうかを判断することと、
前記予め規定された閾値より大きい前記キャリア負荷を有する前記キャリアのダウンリンク送信電力を増大させることと、
をさらに含む、方法。
（２３）  実施態様２２に記載の分散アンテナシステムのダウンリンク送信電力を最適化する方法において、
前記複数のキャリアのダウンリンク送信電力動作パラメータを決定することと、
前記予め規定された閾値より大きい前記キャリア負荷を有する前記キャリアのダウンリンク送信電力の利用可能な余剰増大を決定することと、
をさらに含み、
前記予め規定された閾値より大きい前記キャリア負荷を有する前記キャリアのダウンリンク送信電力を増大させることは、ダウンリンク送信電力の決定された前記利用可能な増大以下の量だけ、前記ダウンリンク送信電力を増大させることをさらに含む、方法。
（２４）  実施態様２３に記載の分散アンテナシステムのダウンリンク送信電力を最適化する方法において、
前記ダウンリンク送信電力を増大させることは、
前記複数のキャリアの利用可能な電力レベルの合計を決定することと、
前記ダウンリンク送信電力動作パラメータおよび収集された前記キャリア負荷情報に基づいて比例因子を決定することと、
前記利用可能な電力レベルの合計と前記比例因子との積を決定することと、
をさらに含む、方法。
（２５）  実施態様２４に記載の分散アンテナシステムのダウンリンク送信電力を最適化する方法において、
前記利用可能な電力レベルの合計を決定することは、前記ダウンリンク送信電力動作パラメータおよび収集された前記キャリア負荷情報に基づく、方法。
【００８１】
（２６）  実施態様２１に記載の分散アンテナシステムのダウンリンク送信電力を最適化する方法において、
収集された前記キャリア負荷がキャリア負荷閾値未満である場合に、前記ダウンリンク送信電力をベースライン値にリセットすることをさらに含む、方法。
（２７）  実施態様２１に記載の分散アンテナシステムのダウンリンク送信電力を最適化する方法において、
キャリア負荷を有するキャリアが予め規定された第２の負荷閾値を超える時期を決定することと、
キャリア負荷を有する前記キャリアが予め規定された第２の負荷閾値を超える前記時期を、一時的なヒステリシス閾値と比較することと、
をさらに含む、方法。
（２８）  実施態様２１に記載の分散アンテナシステムのダウンリンク送信電力を最適化する方法において、
複数のキャリアからの、収集された前記キャリア負荷情報に基づいてキャリアのランク付けリストを生成することをさらに含む、方法。
（２９）  実施態様２８に記載の分散アンテナシステムのダウンリンク送信電力を最適化する方法において、
ダウンリンク送信電力を変化させることは、前記キャリアのランク付けリストのうち最も高くランク付けされたキャリアのダウンリンク送信電力を変化させることをさらに含む、方法。
（３０）  無線システムにおいて、
複数のキャリアを有するマルチキャリア通信信号を受信するマルチキャリアベースステーションであって、前記マルチキャリア通信信号を増幅する１つまたは複数のマルチキャリア増幅器システムを含む、マルチキャリアベースステーションと、
前記ベースステーションに連結され、ダウンリンク信号を提供する１つまたは複数のアンテナと、
前記複数のキャリアのうちの少なくともキャリアのダウンリンク送信電力を、少なくとも１つの他のキャリアとは異なる値に変化させるための、電力管理制御ユニットと、
を含む、無線システム。
【００８２】
（３１）  実施態様３０に記載の無線システムにおいて、
前記電力管理制御ユニットは、前記複数のキャリアの負荷情報を収集し、ダウンリンク送信電力レベルの値を前記マルチキャリア増幅器システムに提供する、負荷収集手段を含む、無線システム。
（３２）  実施態様３１に記載の無線システムにおいて、
前記負荷収集手段は、ネットワークに連結され、前記ネットワークから負荷情報を収集する、無線システム。
（３３）  実施態様３１に記載の無線システムにおいて、
前記負荷収集手段は、前記マルチキャリアベースステーションに連結され、前記マルチキャリアベースステーションから負荷情報を収集する、無線システム。
（３４）  実施態様３１に記載の無線システムにおいて、
前記制御ユニットは、前記キャリアに対して電力レベル制御信号を生成するように構成された電力管理決定エンジンをさらに含み、前記電力レベル制御信号は、収集された前記負荷情報に基づいている、無線システム。
（３５）  無線分散アンテナシステムにおいて、
複数のキャリアを有するマルチキャリア通信信号を受信するマルチキャリアベースステーションであって、前記マルチキャリア通信信号を増幅する１つまたは複数のマルチキャリア増幅器システムを含む、マルチキャリアベースステーションと、
複数の別々のアンテナシステムを有する分散アンテナシステムであって、前記マルチキャリアベースステーションに連結され、ダウンリンク信号を提供する、分散アンテナシステムと、
前記マルチキャリアベースステーションに連結され、前記複数のキャリアの負荷情報を収集し、ダウンリンク送信電力のさまざまな値を前記マルチキャリア増幅器システムに提供する、制御ユニットと、
を含む、無線分散アンテナシステム。
【００８３】
（３６）  実施態様３５に記載の無線システムにおいて、
前記制御ユニットは、前記マルチキャリアベースステーションから前記負荷情報を収集するようにさらに構成される、無線システム。
（３７）  実施態様３５に記載の無線システムにおいて、
前記制御ユニットは、ネットワークから前記負荷情報を収集するようにさらに構成される、無線システム。
（３８）  実施態様３５に記載の無線システムにおいて、
前記制御ユニットは、
前記複数のキャリアから負荷情報を収集する分散アンテナシステム管理サーバーと、
前記キャリアに対して電力レベル制御信号を生成する電力管理決定エンジンと、
をさらに含む、無線システム。
（３９）  実施態様３８に記載の無線システムにおいて、
前記電力管理決定エンジンは、収集された前記負荷情報、およびダウンリンク電力動作パラメータに基づいて、前記電力レベル制御信号を決定するように構成される、無線システム。
（４０）  実施態様３５に記載の無線システムにおいて、
複数の第２のキャリアを有する第２のマルチキャリア通信信号を受信する第２のマルチキャリアベースステーションであって、前記第２のマルチキャリア通信信号を増幅する１つまたは複数の第２の増幅器を含む、第２のマルチキャリアベースステーションと、
複数の第２の別々のアンテナシステムを有する第２の分散アンテナシステムであって、前記第２のマルチキャリアベースステーションに連結され、第２のダウンリンク信号を提供する、第２の分散アンテナシステムと、
をさらに含み、
前記制御ユニットは、前記第２のマルチキャリアベースステーションに連結され、前記複数の第２のキャリアから負荷情報を収集し、前記複数の第２のキャリアにダウンリンク送信電力の値を提供する、無線システム。
【図面の簡単な説明】
【００８４】
【図１】本発明による、複数の屋内の部屋にサービス提供する分散アンテナシステム（「ＤＡＳ」）の表示である。
【図２】分散アンテナシステム内部の遠隔アンテナユニットのダウンリンク送信電力を最適化する例示的なプロセスを示すフローチャートである。
【図３】本発明の実施形態による、ベースステーションサブシステムにより制御されたＤＡＳの表示である。
【図４】ベースステーションサブシステム、およびキャリアから負荷情報を収集し、そのキャリアの送信電力レベルを決定する制御ユニットの概略的ブロック図である。
【図５】キャリアのダウンリンク送信電力を最適化する例示的なプロセスを示すフローチャートである。
【図６Ａ】キャリアの負荷のランク付けリストを生成する例示的なプロセスを示すフローチャートである。
【図６Ｂ】キャリア負荷を推定する例示的なプロセスを示すフローチャートである。
【図６Ｃ】キャリアのそれぞれについて、余剰電力を決定する例示的なプロセスを示すフローチャートである。
【図１】
0005961682.tif 000004
【図２】
0005961682.tif 000005
【図３】
0005961682.tif 000006
【図４】
0005961682.tif 000007
【図５】
0005961682.tif 000008
【図６Ａ】
0005961682.tif 000009
【図６Ｂ】
0005961682.tif 000010
【図６Ｃ】
0005961682.tif 000011